(57)【要約】【課題】耐久性にすぐれ、安定感があり、座り心地がよく意匠性に優れた脚部付椅子を提供すること。【解決手段】前部脚杆１の上部が取り付けられる座面支持枠２が、前部横枠杆３と、それよりも短い後部横枠杆４と、前部横枠杆３の端部と後部横枠杆４の端部を一体に接続する側部横枠杆５とにより、奥部の横幅寸法が前部に比べて狭幅寸法の台形状座面支持枠２とされ、その台形状座面支持枠２における前部の各コーナー部に前部脚杆１の上部が固定され、前記台形状座面支持枠１における後部の各コーナー部に後部脚杆１１が固定されて、各脚杆１，１１が平面台形状の配置形態とされ、かつ、間隔をおいて隣り合う一対の前部脚杆１と一対の後部脚杆１１は、それぞれ平面台形の配置形態が徐々に拡大するように、互いに離れる方向に外側に広がるように湾曲されている脚部付椅子。【選択図】図１
0003126103.tif 000002
【実用新案登録請求の範囲】
【請求項１】
脚部付椅子であって、
前部脚杆の上部が取り付けられる座面支持枠が、前部横枠杆と、その前部横枠杆よりも短い後部横枠杆と、前記前部横枠杆の端部と後部横枠杆の端部を一体に接続する側部横枠杆とにより、奥部の横幅寸法が前部に比べて狭幅寸法の台形状座面支持枠とされ、
その台形状座面支持枠における前部の各コーナー部に前部脚杆の上部が固定され、前記台形状座面支持枠における後部の各コーナー部に後部脚杆が固定されて、各脚杆が平面台形状の配置形態とされ、かつ、間隔をおいて隣り合う一対の前部脚杆と一対の後部脚杆は、それぞれ平面台形の配置形態が徐々に拡大するように、互いに離れる方向に外側に広がるように湾曲されていることを特徴とする脚部付椅子。
【請求項２】
各脚杆の下端部に、平面菱形状の着座板が固定され、平面菱形状の着座板の長対角中心軸線が、脚杆の平面台形状の配置形態における対角方向に向くように配置されていることを特徴とする請求項１に記載の脚部付椅子。
【請求項３】
着座板は、中央部に縦孔または縦雌ねじ孔を有する断面台形状のブロック状着座板とされ、かつ脚杆は金属製パイプとされ、その金属製パイプの下端部が前記着座板における縦孔または縦雌ねじ孔に嵌合またはねじ込まれて、溶接により固定されていることを特徴とする請求項１または２に記載の脚部付椅子。
【請求項４】
各後部脚杆に一体に連続して接続して上方に伸び、かつ後方に傾斜するように背凭れ杆が設けられ、各背凭れ杆の上端部に渡って上端受け杆が設けられ、その上端受け杆の下方に、それぞれ円弧状に湾曲した第１中間受け杆と第２中間受け杆とが、これらの中間部が離れるように配置されると共にこれらの中間部が僅かに後方に湾曲するように配置されて各背凭れ杆に固定され、前記第２中間受け杆の下方に、円弧状に湾曲した第３中間受け杆の中間部が前記第２中間受け杆の中間部に接近するように間隔をおいて配置されて、第３中間受け杆の両端部がそれぞれ前記背凭れ杆に固定され、上端受け杆と第１中間受け杆との間、第２中間受け杆と第３中間受け杆との間に背凭れ部材が設けられ、第１中間受け杆と第２中間受け杆との間は、上下がこれらの円弧状の部材に挟まれた上部第１開口部が形成され、第３中間受け杆と後部横枠杆との間は、上部が第３中間受け杆の円弧状の部材とされた下部第２開口部が形成されていることを特徴とする請求項１から３のいずれかに記載の脚部付椅子。
【考案の詳細な説明】
【技術分野】
【０００１】
本考案は、室内等において使用される脚部付椅子に関する。
【背景技術】
【０００２】
従来、脚部付椅子としては、ほぼ鉛直状態に配置した前脚と後脚を備え、着座部の中央部の雄ねじ軸部を脚下端部に設けた中心雌ねじ孔にねじ込むようにした椅子が知られている（例えば特許文献１参照）。
【特許文献１】実開平０３−９６４４号広報
【考案の開示】
【考案が解決しようとする課題】
【０００３】
前記のような形態の椅子の場合、脚の上部端部から下端部までがほぼ一定の幅間隔で、また前脚と後脚とがほぼ鉛直状態に配置されているので、脚の弾力性を利用できないため、脚の負担が大きく、損傷しやすいという問題がある。また脚が鉛直状態で配置される形態であり、脚の弾性力を利用しないので快適な座り心地が得られないという問題がある。また、脚の下端中心に雌ネジ孔を設け、先端部に、前記脚よりも外径寸法の小さい雄ねじ軸部を有する着座部材の上端部をねじ込む形態であり、特に、脚よりも外径寸法の小さい雄ねじ軸部をねじ込む形態であるので、脚の弾力性のない点と相俟って椅子の脚杆が損傷しやすいという問題がある。
そこで、本考案は、前記の課題を有利に解決し、耐久性にすぐれ、安定感があり、座り心地がよく意匠性に優れた脚部付椅子を提供することを目的とする。
【課題を解決するための手段】
【０００４】
第１考案の脚部付椅子においては、脚部付椅子であって、前部脚杆の上部が取り付けられる座面支持枠が、前部横枠杆と、その前部横枠杆よりも短い後部横枠杆と、前記前部横枠杆の端部と後部横枠杆の端部を一体に接続する側部横枠杆とにより、奥部の横幅寸法が前部に比べて狭幅寸法の台形状座面支持枠とされ、その台形状座面支持枠における前部の各コーナー部に前部脚杆の上部が固定され、前記台形状座面支持枠における後部の各コーナー部に後部脚杆が固定されて、各脚杆が平面台形状の配置形態とされ、かつ、間隔をおいて隣り合う一対の前部脚杆と一対の後部脚杆は、それぞれ平面台形の配置形態が徐々に拡大するように、互いに離れる方向に外側に広がるように湾曲されていることを特徴とする。
また、第２考案では、請求項１の脚部付椅子において、各脚杆の下端部に、平面菱形状の着座板が固定され、平面菱形状の着座板の長対角中心軸線が、脚杆の平面台形状の配置形態における対角方向に向くように配置されていることを特徴とする。
また、第３考案では、請求項１または２の脚部付椅子において、座板は、中央部に縦孔または縦雌ねじ孔を有する断面台形状のブロック状座板とされて、脚杆は金属製パイプとされ、その金属製パイプの下端部が前記縦孔または縦雌ねじ孔に嵌合またはねじ込まれて、溶接により固定されていることを特徴とする。
第４考案では、請求項１〜請求項３のいずれかに記載の脚部付椅子において、各後部脚杆に一体に連続して接続して上方に伸び、かつ後方に傾斜するように背凭れ杆が設けられ、各背凭れ杆の上端部に渡って上端受け杆が設けられ、その上端受け杆の下方に、それぞれ円弧状に湾曲した第１中間受け杆と第２中間受け杆とが、これらの中間部が離れるように配置されると共にこれらの中間部が僅かに後方に湾曲するように配置されて各背凭れ杆に固定され、前記第２中間受け杆の下方に、円弧状に湾曲した第３中間受け杆の中間部が前記第２中間受け杆の中間部に接近するように間隔をおいて配置されて、第３中間受け杆の両端部がそれぞれ前記背凭れ杆に固定され、上端受け杆と第１中間受け杆との間、第２中間受け杆と第３中間受け杆との間に背凭れ部材が設けられ、第１中間受け杆と第２中間受け杆との間は、上下がこれらの円弧状の部材に挟まれた上部第１開口部が形成され、第３中間受け杆と後部横枠杆との間は、上部が第３中間受け杆の円弧状の部材とされた下部第２開口部が形成されていることを特徴とする。
【考案の効果】
【０００５】
第１考案によると、脚杆を徐々に拡大する平面台形状配置としたので、座面上からの荷重を台形状の頂部に向かう４方向に分散することができ、かつ脚杆が外側に向かって湾曲しているので、４方向に分散した各荷重は、脚杆の弾力性を利用して緩衝しながら下部に向かって分散させて軽減することができ、そのため椅子の力学的な耐久性を向上させることができ、また、椅子の安定感および座り心地をより向上させることができる。
第２考案によると、下方に向かって台形状に拡大する脚杆の配置にあわせて、座板が配置されているので、合理的な座板の配置となり意匠的な美観も統一のとれた配置になり、しかも、下方に向かう荷重伝達方向に大きい設置面を確保することができ、安定した状態で座板下面から応力を低減させて設置面に荷重を分散させることができる。
また、設置面積の広い菱形状の座板における長対角中心軸線方向の先端側（鋭角状部）が平面台形状の脚杆の配置形態における対角方向に向くように配置されていることになるので、各脚杆に、平面台形状の対角方向外側に向かう荷重が作用するような場合に、座板先端側側で踏ん張った状態で脚杆は弾性的に抵抗するようになるので、脚杆の働きを合理的に向上さあせることができる。その結果、椅子の安定感および座り心地をより一層向上させることができる。
第３考案によると、座板は、中央部に縦孔または縦雌ねじ孔を有する断面台形状のブロック状座板とされているので、安定性のよい強固な座板とすることができ、また、金属製パイプの脚杆の下端部が前記縦孔または縦雌ねじ孔に嵌合またはねじ込まれて、溶接により固定されているので、脚杆下端部を座板に確実に強固に固定することができる。
第４考案によると、脚杆に一体に接続し、後方に傾斜する背凭れ杆が設けられているので、背凭れ杆と座面支持枠との一体化が容易であり、強固な背凭れ杆を形成することができる。また、第１中間受け杆と第２中間受け杆との間の開口部の上下および第３中間受け杆と後部横枠杆との間の上部が、円弧状とされた開口部であるので、椅子の上部が開口部を有し、かつ曲線形態とされているので、脚杆の湾曲と合わせて、全体として滑らかな曲線の印象ある意匠性の優れた脚部付椅子とすることができる。
【考案を実施するための最良の形態】
【０００６】
次に、本考案を図示の実施形態に基づいて詳細に説明する。
【０００７】
図１〜図６は、本考案の一実施形態の脚部付椅子８を示し、図７および図８は脚部付椅子８下端の着座板７または脚杆１，１１との関係を示し、図９（ａ）（ｂ）は骨組みおよび作用説明図を示し、図９（ｃ）は従来の場合との設置面積の差異を示す図である。
【０００８】
先ず、図１から図９、特に図９（ａ）（ｂ）を参照して、本考案の椅子の骨組み構造について説明すると、前部脚杆１の上端部に、横向きに配置される座面支持枠２の下部が溶接により固定されている。
前記座面支持枠２は、前部横枠杆３と、その前部横枠杆３よりも短い後部横枠杆４と、前記前部横枠杆３の一端部および他端部と、後部横枠杆４の一端部および他端部を、それぞれ一体に接続する各側部横枠杆５とにより、奥部の横幅寸法が前部に比べて狭幅寸法の平面台形状の台形状座面支持枠２とされている。
【０００９】
前記台形状座面支持枠２における前部の各コーナー部下面に、各前部脚杆１の上部が固定され、後部の各コーナー部外側に、後部脚杆４が固定されて、各前部脚杆１および後部脚杆４が平面台形状の配置形態とされ、かつ、間隔をおいて隣り合う各前部脚杆１の中間部は、平面台形の配置形態が徐々に拡大するように、互いに離れる方向に外側に広がるように湾曲する湾曲部２２を備えており、全体として各脚杆１，４は外側に広がるように傾斜配置されている。
【００１０】
前記のように、脚杆１，４の平面配置形態を徐々に拡大する平面台形状配置形態としたので、図９（ｂ）に示すように、着座者が座板６に着座した場合の荷重Ｆを、座面支持枠２および各脚１，１１に作用する反力Ｐにより支承するようになるが、図９（ａ）に示すように、平面台形状の座板６上から着座者の荷重を各脚杆１，４で伝達する場合に、平面台形状の頂部に向かう４方向に分散することができ、かつ前部脚杆１および後部脚杆４が外側に向かって湾曲しているので、４方向に分散した各荷重は、前記各脚杆１，４の湾曲した弾力性を利用して緩衝しながら、前後方向あるいは左右方向の横方向成分と縦方向成分に分散させて軽減することができ、さらに、図９（ｃ）に２点鎖線の円形で示す着座面積よりは、格段に面積が大きく、かつ台形の配置形態の対角方向に菱形の長対角中心軸線Ｃが向くように配置されているので、着座面積が大きくかつ中心から対角方向の距離の大きい菱形着座面の着座板７により分散させて軽減することができ、そのため椅子８の力学的な耐久性を向上させることができ、また、椅子８の安定感および座り心地をより向上させることができる。
【００１１】
前部脚杆１相互の上部には、上に凸のアーチ状前部補強材９の両端部が固定され、そのアーチ状前部補強材９の上部は前部横枠杆３に固定され、また、後部脚杆１１相互の上部には、上に凸のアーチ状後部補強材１０の両端部が固定され、そのアーチ状前部補強材９の上部は後部横枠杆４に固定され、さらに、一側部および他側部の前部脚杆１と後部脚杆１１の上部には、それぞれ、上に凸のアーチ状側部補強材１２の両端部が固定され、一側部および他側部のアーチ状側部補強材１２の上部は、それぞれ側部横枠杆５に固定されて、各脚杆１，１１の上部と台形状座面支持枠２とが、強固に一体化されている。
【００１２】
前記の前部脚杆１、後部脚杆１１、座面支持枠２、アーチ状前部補強材９、アーチ状後部補強材１０、アーチ状側部補強材１２、および後記の背凭れ杆１３等、椅子の骨組みを構成する軸材としては、例えば、鋳鉄製パイプ材が使用される。また、椅子の骨組みを構成する材料として、鋼製パイプ材等の金属製パイプ材料を使用することもできる。
【００１３】
前記台形状座面支持枠２には、これとほぼ同外形形状とされた平面台形状座板６が、座面支持枠２に載置されて、台形状座面支持枠２と平面台形状座板６とに渡って挿通されたボルト（図示を省略した）等により固定され、前記平面台形状座板６の外表面は、例えば、籐の皮の紐状体による編み組み体・布・革等により被覆される。
【００１４】
各脚杆１，１１の下端部に、図７および図８（ａ）に示すようなそれぞれ平面菱形状の着座板７が固定され、前記着座板７の平面菱形状における長対角中心軸線Ｃ１が、脚杆１，１１先端部の平面台形状の配置形態におけるほぼ対角方向Ｌに向くように配置されている。
【００１５】
このように、下方に向かって台形状配置が拡大する脚杆１，１１の配置にあわせて、着座板７が配置されているので、合理的な着座板７の配置となり意匠的な美観も統一のとれた配置になり、しかも、下方に向かう荷重伝達方向に大きい設置面を確保することができ、安定した状態で着座板７の広い設置下面から応力を低減させて床材等の受け面に荷重を分散させることができる。
また、設置面積の広い菱形状の着座板７における長対角中心軸線方向の先端側（鋭角状部）が平面台形状の脚杆の配置形態における対角方向に向くように配置されていることになるので、各脚杆１，１１に、平面台形状の対角方向外側に向かう荷重が作用するような場合に、着座板先端側で踏ん張った状態で脚杆１，１１は弾性的に抵抗するようになるので、脚杆１，１１の働きを合理的に向上させることができる。その結果、椅子８の安定感および座り心地を、より一層向上させることができる。
【００１６】
図示の形態では、図８（ｂ）に示すように、着座板７は、中央部に貫通した縦孔１４または縦雌ねじ孔を有する断面台形状のブロック状着座板７とされ、脚杆１，１１は金属製パイプとされ、その金属製パイプの下端部が前記縦孔１４または縦雌ねじ孔に嵌合またはねじ込まれて、溶接Ｗにより固定されている
【００１７】
また、各後部脚杆１１に一体に連続して接続して上方に伸び、かつ後方に傾斜するように背凭れ杆１３が設けられ、各背凭れ杆１３の上端部に渡って上端受け杆１５が設けられ、その上端受け杆１５の下方に、それぞれ円弧状に湾曲した第１中間受け杆１６と第２中間受け杆１７とが、これらの中間部が離れるように配置されると共にこれらの中間部が僅かに後方に湾曲するように配置されて各背凭れ杆１３に固定され、前記第２中間受け杆１７の下方に、円弧状に湾曲した第３中間受け杆１８の中間部が前記第２中間受け杆１７の中間部に接近するように間隔をおいて配置されて、第３中間受け杆１８の両端部がそれぞれ前記背凭れ杆１３に固定され、上端受け杆１５と第１中間受け杆１６との間、第２中間受け杆１７と第３中間受け杆１８との間に、これらの部材を包むように背凭れ部材１９が設けられ、第１中間受け杆１６と第２中間受け杆１７との間は、上下がこれらの円弧状の部材に挟まれた上部第１開口部２０が形成され、第３中間受け杆１８と後部横枠杆４との間は、上部が第３中間受け杆１８の円弧状の籐の皮の部材とされた下部第２開口部２１が形成されている。
【００１８】
前記の上端受け杆１５と、各左右の背凭れ杆１３と、第１中間受け杆１６とに渡って、これらを一緒に包みように、また、前記各部に捲きつけるように、籐の皮の紐状体などで面板状に編みこまれた上部背凭れ部材１９、あるいは布等により表面被覆した版状の上部の背凭れ部材１９が取り付けられている。
また、第２中間受け杆１７と、各左右の背凭れ杆１３と、第３中間受け杆１８とに渡って、これらを一緒に包みように、また、前記各部に捲きつけるように、籐の皮の紐状体などで面板状に編みこまれた下部の背凭れ部材１９、あるいは布等により表面被覆した版状の下部の背凭れ部材１９ｂが取り付けられている。
【００１９】
このように、脚杆１，１１に一体に接続し、後方に傾斜する背凭れ杆１３が設けられているので、背凭れ杆１３と座面支持枠２との一体化が容易であり、強固な背凭れ杆１３を形成することができる。また、第１中間受け杆１６と第２中間受け杆１７との間の上部第１開口部２０の上下および第３中間受け杆１８と後部横枠杆４との間の上部が、円弧状とされた下部第２開口部２１であるので、椅子８の上部が開口部２０、２１を有し、かつ曲線形態とされているので、脚杆１，１１の湾曲と合わせて、全体として滑らかな曲線美の印象ある意匠性の優れた脚部付椅子８とすることができる。
【００２０】
また、各背凭れ杆１３は、下部の背凭れ部材１９の部分においては互いに離れるように外側に膨らむように湾曲しているので、着座者が背中を後方に倒れるようにして、下部の背凭れ部材１９を後方に凹ますように押圧した場合に、各背凭れ杆１３は互いに多少接近する方向に多少弾性変形し緩衝しながら支承することができる。
また、上端受け杆１５と、第１中間受け杆１６と、第２中間受け杆１７と、第３中間受け杆１８とは、いずれも湾曲し、かつ背凭れ杆１３が後方に傾斜しているので、後方に向かって湾曲することになるので、着座者の背中を円弧面状に支承することができ、線状接触にならないので、着座者の背中を安定した状態で反作用応力の小さい状態で支えることができ、座り心地を向上させることができる。
【００２１】
図７および図８には、着座板７が示され、図示の形態の着座板７は、平面非対称の菱形の截頭角錐体を基調としつつ、平面で一つの対角方向に上部を底辺とした逆三角形の傾斜面を備えた着座板７とされ、平面菱形の長対角方向の一方に、縦孔１４の中心から端部までの長さが長く、かつ上面に面積が大きく緩傾斜の大三角形傾斜上面２４と、前記大三角形傾斜上面２４よりも急傾斜で縦孔１４の中心から端部までの長さが短い小三角形傾斜上面２５を備えており、前記大三角形傾斜上面２４が、各脚杆１，１１を台形状に配置した場合に、その対角方向外側になるように配置されている。
このように、大三角形傾斜上面２４と小三角形傾斜上面２５の面積の異なる三角形上面を備えているので、着座板７の配置形態を確実に大三角形傾斜上面２４が外側になるように配置することができる。前記着座板７の下面は平坦な着座面２６とされている。前記の着座面２６の下面に、木製または石製あるいはコンクリート製の床面との摩擦係数が適度な合成樹脂板等の緩衝用座板を介在させて貼り付け固定するようにしてもよい。
【００２２】
なお、側部横枠杆５間には、これらの中間部にわたって、間隔をおいて平行に、鋼製連結板２３が設けられて、着座者の荷重を平面台形状座板６に伝達するようにされている。
【００２３】
本考案を実施する場合、前記の前部脚杆１、後部脚杆１１、座面支持枠２、アーチ状前部補強材９、アーチ状後部補強材１０、アーチ状側部補強材１２、および後記の背凭れ杆１３等、椅子の骨組みを構成する軸材、あるいは台形状座板６としては、金属製材料以外の材料を使用するようにしてもよい。
【図面の簡単な説明】
【００２４】
【図１】本考案の一実施形態の脚部付椅子を示す斜視図である。
【図２】本考案の一実施形態の脚部付椅子を示す拡大正面図である。
【図３】本考案の一実施形態の脚部付椅子を示す右側面図である。
【図４】（ａ）は本考案の一実施形態の脚部付椅子を示す平面図、（ｂ）は底面図である。
【図５】本考案の一実施形態の脚部付椅子を示す背面図である。
【図６】図２のＡ−Ａ線断面図である。
【図７】着座板を示す図であって、（ａ）は正面図、（ｂ）は平面図、（ｃ）は背面図、（ｄ）は底面図である。
【図８】（ａ）は図７（ａ）のＢ−Ｂ線断面図、（ｂ）は脚杆と着座板との固定形態の一例を示す一部縦断側面図である。
【図９】本考案の脚部付椅子の作用を説明するための説明図であって、（ａ）は脚部付椅子の骨組を示す正面説明図、（ｂ）は平面説明図、（ｃ）は着座板と通常のパイプ脚との着座面積との差異を示す概略平面図である。
【符号の説明】
【００２５】
１  前部脚杆
２  座面支持枠
３  前部横枠杆
４  後部横枠杆
５  側部横枠杆
６  平面台形状座板
７  着座板
８  椅子
９  アーチ状前部補強部材
１０  アーチ状後部補強部材
１１  後部脚杆
１２  アーチ状側部補強材
１３  背凭れ杆
１４  縦孔
１５  上端受け杆
１６  第１中間受け杆
１７  第２中間受け杆
１８  第３中間受け杆
１９  背凭れ部材
２０  上部第１開口部
２１  下部第２開口部
２２  湾曲部
２３  鋼製連結板
２４  大三角形傾斜上面
２５  小三角形傾斜上面
２６  着座面
【図１】
0003126103.tif 000003
【図２】
0003126103.tif 000004
【図３】
0003126103.tif 000005
【図４】
0003126103.tif 000006
【図５】
0003126103.tif 000007
【図６】
0003126103.tif 000008
【図７】
0003126103.tif 000009
【図８】
0003126103.tif 000010
【図９】
0003126103.tif 000011